(57)【要約】【課題】  駐車場の入出庫管理を自動化するには、ユーザ側の負担が大きくなる。【解決手段】  駐車場に設けられた駐車場端末（10）と管理サーバ（20）とを通信可能に接続したシステム（100）であって、駐車場端末は、車両のナンバープレートが示す車両番号情報を取得する車両番号取得部（41）と、車両の入庫日時および出庫日時を当該車両番号情報に関連付けて記録する入出庫記録部（42）と、その記録内容に基づき請求金額を算出する料金算出部（43）と、当該ユーザが料金精算するための決済情報を有するＩＣカードから至近距離の無線通信により決済情報を取得する決済情報取得部（44）と、取得した決済情報を管理サーバへ送信する情報通信部（45）とを有する。また、管理サーバは、駐車場端末からの決済情報に基づき電子決済のための所定の手続きを行う決済処理部（51）を有する。【選択図】      図２
2005346551.tif 000002
【特許請求の範囲】
【請求項１】
駐車場に設けられた駐車場端末、及び、該駐車場端末と通信可能に接続された管理サーバを備え、
前記駐車場端末は、車両のナンバープレートが示す車両番号情報を取得する車両番号取得部と、前記車両の入庫日時および出庫日時を当該車両番号情報に関連付けて記録する入出庫記録部と、該入出庫記録部の記録内容に基づき前記車両に対する請求金額を算出する料金算出部と、当該ユーザが料金精算するための決済情報を有するＩＣカードから至近距離の無線通信により該決済情報を取得する決済情報取得部と、該決済情報取得部が取得した決済情報を前記管理サーバへ送信する情報通信部とを有し、
前記管理サーバは、前記駐車場端末からの決済情報に基づき電子決済のための所定の手続きを行う決済処理部を有することを特徴とする駐車場管理システム。
【請求項２】
前記車両番号読取部は、撮影機構により撮影した前記ナンバープレートの画像に基づき当該車両番号情報を取得することを特徴とする請求項１記載の駐車場管理システム。
【請求項３】
駐車場に設けられた駐車場端末であって、
車両のナンバープレートが示す車両番号情報を取得する車両番号取得部と、前記車両の入庫日時および出庫日時を当該車両番号情報に関連付けて記録する入出庫記録部と、該入出庫記録部の記録内容に基づき前記車両に対する請求金額を算出する料金算出部と、当該ユーザが料金精算するための決済情報を有するＩＣカードから至近距離の無線通信により該決済情報を取得する決済情報取得部と、該決済情報取得部が取得した決済情報および前記料金算出部が算出した請求金額に基づき前記ＩＣカードへ精算情報を供給する精算処理部とを備えることを特徴とする駐車場端末。
【請求項４】
前記車両番号読取部は、撮影機構により撮影した前記ナンバープレートの画像に基づき当該車両番号情報を取得することを特徴とする請求項３記載の駐車場端末。
【請求項５】
駐車場に設けられた駐車場端末が、該駐車場に到来した車両のナンバープレートが示す車両番号情報を取得し、該取得した車両番号情報と前記車両の入庫日時とを関連付けて記録し、前記車両が出庫するとき当該出庫日時を記録し、該記録した出庫日時および前記入庫日時に基づき前記車両に対する請求金額を算出し、当該ユーザが料金精算するための決済情報を有するＩＣカードから至近距離の無線通信により該決済情報を取得し、該取得した決済情報を管理サーバへ送信し、
前記管理サーバが、前記駐車場端末からの決済情報に基づき電子決済のための所定の手続きを行うことを特徴とする駐車場管理方法。
【請求項６】
駐車場に設けられた駐車場端末が、該駐車場に到来した車両のナンバープレートが示す車両番号情報を取得し、該取得した車両番号情報と前記車両の入庫日時とを関連付けて記録し、前記車両が出庫するとき当該出庫日時を記録し、該記録した出庫日時および前記入庫日時に基づき前記車両に対する請求金額を算出し、当該ユーザが料金精算するための決済情報を有するＩＣカードから至近距離の無線通信により該決済情報を取得し、該取得した決済情報および前記算出した請求金額に基づき前記ＩＣカードへ精算情報を供給することを特徴とする駐車場管理方法。
【請求項７】
駐車場に設けられたコンピュータに、
車両のナンバープレートが示す車両番号情報を取得するステップと、前記車両の入庫日時および出庫日時を当該車両番号情報に関連付けて記録するステップと、該ステップにおける記録内容に基づき前記車両に対する請求金額を算出するステップと、当該ユーザが料金精算するための決済情報を有するＩＣカードから至近距離の無線通信により該決済情報を取得するステップと、該ステップにて取得した決済情報を電子決済を行うためのサーバへ送信するステップとを実行させることを特徴とするプログラム。
【請求項８】
駐車場に設けられたコンピュータに、
車両のナンバープレートが示す車両番号情報を取得するステップと、前記車両の入庫日時および出庫日時を当該車両番号情報に関連付けて記録するステップと、該ステップにおける記録内容に基づき前記車両に対する請求金額を算出するステップと、当該ユーザが料金精算するための決済情報を有するＩＣカードから至近距離の無線通信により該決済情報を取得するステップと、該ステップにて取得した決済情報および前記算出した請求金額に基づき前記ＩＣカードへ精算情報を供給するステップとを実行させることを特徴とするプログラム。
【発明の詳細な説明】
【技術分野】
【０００１】
本発明は、駐車場における車両の入出庫をコンピュータ管理する技術に関し、特に、駐車場のユーザが非接触ＩＣカードを用いて料金精算を行うための技術に関する。
【背景技術】
【０００２】
駐車券発行機や料金精算機が設けられた入出庫ゲートを持つ有料駐車場では、一般的に、入庫時にユーザが入口ゲートにて駐車カードを受取り、出庫時に料金支払ゲートで駐車カードを挿入し料金の支払いを行う。このような入出庫ゲートにおいて、例えば、車両の停車位置が駐車券発行機等から離れた場合、あるいは、車両が左ハンドル車である場合、ユーザは、いったん車両から降りたり、ドアを開けて手を伸ばす必要がある。また、出庫時には、何れのユーザも料金の精算手続きを要する。そのため、多くの駐車場では、入出庫ゲート付近での渋滞が生じ易い。
【０００３】
従来、駐車場における上述のような事態を緩和するために、例えば、後述の特許文献１に記載の手法が提案されている。特許文献１に記載の手法は、車両に予めＥＴＣ車載器および電子ナンバープレートを搭載しておき、この車両が駐車場のゲートを通過するとき、該駐車場の管理用ＰＣが、ＥＴＣ車載器および電子ナンバープレートから車両番号や精算のための情報を読み取り、入出庫管理を行うというものである。
【特許文献１】特開２００２−２３６９４８号公報
【発明の開示】
【発明が解決しようとする課題】
【０００４】
上記特許文献１に記載の手法によれば、入出庫ゲートにサービス要員を配備することなく、駐車場サービスを提供することができる。しかしながら、この手法を適用した場合、ＥＴＣ車載器および電子ナンバープレートを具備しない一般的な車両は、駐車場を利用できないという不都合がある。また、利用可能とするために、それらの車載装置を新たに設置するには相応の費用が掛かる。
【０００５】
本発明は、上記課題に鑑みてなされたものであり、駐車場の入出庫管理をコンピュータ管理するにあたり、駐車場の運営側およびユーザ側の双方の負担を軽減し得る駐車場管理システムおよび駐車場管理方法を提供することを目的とする。
【課題を解決するための手段】
【０００６】
本発明に係る駐車場管理システムは、駐車場に設けられた駐車場端末、及び、該駐車場端末と通信可能に接続された管理サーバを備え、前記駐車場端末は、車両のナンバープレートが示す車両番号情報を取得する車両番号取得部と、前記車両の入庫日時および出庫日時を当該車両番号情報に関連付けて記録する入出庫記録部と、該入出庫記録部の記録内容に基づき前記車両に対する請求金額を算出する料金算出部と、当該ユーザが料金精算するための決済情報を有するＩＣカードから至近距離の無線通信により該決済情報を取得する決済情報取得部と、該決済情報取得部が取得した決済情報を前記管理サーバへ送信する情報通信部とを有し、前記管理サーバは、前記駐車場端末からの決済情報に基づき電子決済のための所定の手続きを行う決済処理部を有する。
【０００７】
また、本発明に係る駐車場端末は、駐車場に設けられた駐車場端末であって、車両のナンバープレートが示す車両番号情報を取得する車両番号取得部と、前記車両の入庫日時および出庫日時を当該車両番号情報に関連付けて記録する入出庫記録部と、該入出庫記録部の記録内容に基づき前記車両に対する請求金額を算出する料金算出部と、当該ユーザが料金精算するための決済情報を有するＩＣカードから至近距離の無線通信により該決済情報を取得する決済情報取得部と、該決済情報取得部が取得した決済情報および前記料金算出部が算出した請求金額に基づき前記ＩＣカードへ精算情報を供給する精算処理部とを備える。
【０００８】
本発明に係る駐車場管理方法は、駐車場に設けられた駐車場端末が、該駐車場に到来した車両のナンバープレートが示す車両番号情報を取得し、該取得した車両番号情報と前記車両の入庫日時とを関連付けて記録し、前記車両が出庫するとき当該出庫日時を記録し、該記録した出庫日時および前記入庫日時に基づき前記車両に対する請求金額を算出し、当該ユーザが料金精算するための決済情報を有するＩＣカードから至近距離の無線通信により該決済情報を取得し、該取得した決済情報を管理サーバへ送信し、前記管理サーバが、前記駐車場端末からの決済情報に基づき電子決済のための所定の手続きを行う。
【０００９】
また、本発明に係る駐車場管理方法は、駐車場に設けられた駐車場端末が、該駐車場に到来した車両のナンバープレートが示す車両番号情報を取得し、該取得した車両番号情報と前記車両の入庫日時とを関連付けて記録し、前記車両が出庫するとき当該出庫日時を記録し、該記録した出庫日時および前記入庫日時に基づき前記車両に対する請求金額を算出し、当該ユーザが料金精算するための決済情報を有するＩＣカードから至近距離の無線通信により該決済情報を取得し、該取得した決済情報および前記算出した請求金額に基づき前記ＩＣカードへ精算情報を供給する。
【発明の効果】
【００１０】
本発明によれば、ユーザが車両に特別な車載機器を付加することなく、円滑に駐車場を利用することができる。また、ナンバープレートを撮影することにより、入庫時における駐車チケットの受け取りが不要となり、出庫時は非接触ＩＣカードにより料金精算することから、車両の入出庫がスムーズに行われ、その結果、ゲート付近の渋滞を回避することができる。さらに、駐車場の管理者側は、精算機の現金回収や釣り銭補給等を行わなくてよいため、メンテナンス費用などコスト削減を図ることができる。
【発明を実施するための最良の形態】
【００１１】
［実施例］
以下、本発明の実施例について図面を用いて詳細に説明する。図１に、本発明による実施例の駐車場管理システムの全体像を示す。駐車場管理システム１００は、  複数の駐車場のそれぞれに設けられた駐車場端末システム１０−１〜１０−ｎと、それらの駐車場を運営する事業者の管理サーバシステム２０と、駐車場の利用料金に係る電子決済を行う金融機関の決済サーバシステム３０とを備える。各システムは、インターネットのような通信ネットワーク１００ａを介して相互に通信可能に接続されている。なお、図示の駐車場端末システム１０−１〜１０−ｎは、それぞれ同一の構成を成すものである。
【００１２】
駐車場管理システム１００におけるユーザは、駐車場の料金精算にあたり、至近距離の無線通信機能を有する非接触ＩＣカードを利用する。この非接触ＩＣカードとしては、プリペイド式にて料金精算を行うもの、あるいは、通信ネットワークを利用した電子決済が可能ないわゆる電子マネー機能を具備したＩＣカードを使用することができる。前者のプリペイド式ＩＣカードは、コンビニエンスストアや、専用の自動販売機等で簡便に入手することができるというメリットがあり、また、後者の電子マネー機能を持つＩＣカードであれば、当該駐車場以外での利用も可能である。本実施例における非接触ＩＣカードは、プリペイド機能あるいは電子マネー機能を果たすための所定の情報を決済情報として具備する。
【００１３】
図２に、駐車場端末システム１０−１の構成を示す。駐車場端末システム１０−１は、入出庫ゲート付近にて車両のナンバープレートを撮影する撮影機構であるＣＣＤカメラ１１と、ユーザに入出庫の可否を提示するための遮断機構を含むゲートシステム１２と、ユーザに対するメッセージを画面表示するディスプレイ１３と、非接触ＩＣカードに対し至近距離の無線通信にて情報の読み出し及び書き込みを行う非接触カードリーダ・ライタ１４と、情報を記録するための記憶装置１５と、通信ネットワーク１００ａに接続するための通信装置１６と、駐車場端末システム１０−１の動作制御を行うコンピュータ機構である制御装置１７とを備える。
【００１４】
制御装置１７は、その機能構成として、図２に示すように、ＣＣＤカメラ１１が撮影するナンバープレートの画像を解析して当該車両番号情報を取得する車両番号取得部４１と、車両の入庫日時および出庫日時を当該車両番号情報に関連付けて記憶装置１５に記録する入出庫記録部４２と、その記録内容に基づき前記車両に対する請求金額を算出する料金算出部４３と、当該ユーザの非接触ＩＣカードから非接触カードリーダ・ライタ１４により決済情報を取得する決済情報取得部４４と、取得した決済情報を通信装置１６により管理サーバシステム２０へ送信する情報通信部４５と、決済情報および請求金額に基づき非接触カードリーダ・ライタ１４により非接触ＩＣカードへ精算情報を供給する精算処理部４６とを有する。
【００１５】
また、制御装置１７は、入出庫記録部４２に連動してゲートシステム１２のゲート開閉を制御するゲート制御部４７と、料金算出部４３が算出した請求金額等をディスプレイ１３に表示する表示制御部４８とを有する。
【００１６】
図３に、管理サーバシステム２０の構成を示す。管理サーバシステム２０は、通信ネットワーク１００ａに接続するための通信装置２１と、情報を記録するための記憶装置２２と、管理サーバシステム２０の動作制御を行うコンピュータ機構である制御装置２３とを備える。制御装置２３は、その機能構成として、図３に示すように、通信装置２１が受信した各駐車場端末システム１０−１〜１０−ｎからの情報を記憶装置２２へ記録する駐車場情報記録部５１と、各駐車場端末システム１０−１〜１０−ｎからの決済情報に基づき決済サーバシステム３０と協働して電子決済のための所定の手続きを行う決済処理部５２とを有する。
【００１７】
図４に沿って駐車場管理システム１００の動作手順を説明する。まず、駐車場の入口ゲート前に車両が到着したとき、車両番号取得部４１は、その旨を所定のセンサ機構（図示略）により検知し、該車両のナンバープレートをＣＣＤカメラ１１により撮影する（ステップＳ１）。そして、撮影したナンバープレートの画像を従来知られた画像解析処理により解析して車両番号情報を認識し、これを入出庫記録部４２へ渡す（ステップＳ２）。
【００１８】
入出庫記録部４２は、現時点でのタイマ情報を入庫日時として、これを上記車両番号情報に関連付けて記憶装置１５へ記録する（ステップＳ３）。図５に、記憶装置１５における記録の態様を擬似的に示す。記憶装置１５では、図５に示すように、ＣＣＤカメラ１１による画像に基づき取得した車両番号情報をインデックスとして、当該車両の入庫日時及び出庫日時と、ユーザに対する請求金額と、精算時の決済種別とが記録される。例えば、車両番号が「品川００・あ１２−３４」なる車両に関しては、「2004.6.1 11:00」に入庫し、その後の「2004.6.1 14:00」に出庫する際に、利用料金「1200」円が「プリペイド」式の非接触ＩＣカードにより精算された旨が記録されている。なお、入庫記録を終えた上記ステップ３までの段階、すなわち出庫前の段階では、記憶装置１５への記録は、例えば、図示の「横浜００・い７８−９０」のレコードに対応する。
【００１９】
続いて、入出庫記録部４２は、上記ステップＳ３にて記憶装置１５に記録した情報を、管理サーバシステム２０へ通知すべく情報通信部４５に渡す。情報通信部４５は、渡された情報を管理サーバシステム２０に宛てて通信ネットワーク１００ａへ送出する（ステップＳ４）。送出された情報は、管理サーバシステム２０の通信装置２１により受信された後、駐車場情報記録部５１により記憶装置２２に記録される（ステップＳ５）。記憶装置２２では、各駐車場端末システム１０−１〜１０−ｎについての記録が、図５に沿って説明した駐車場端末システム１０−１のものと同様にして保持される。
【００２０】
一方、駐車場端末システム１０−１は、上記の入庫日時の記録を終えると、ゲート制御部４７がゲートシステム１２を駆動させゲートを開く（ステップＳ６）。これにより、駐車場への車両の入庫が可能となり、ユーザが車両を駐車させる。
【００２１】
その後、ユーザが車両を出庫させるべく出口ゲート前に到着すると、車両番号取得部４１が、上記ステップＳ１及びＳ２の手順と同様にして、ＣＣＤカメラ１１によりナンバープレートの撮影を行い（ステップＳ７）、その画像に基づき当該車両番号情報を取得する（ステップＳ８）。入出庫記録部４２は、取得した車両番号情報に基づき記憶装置１５から当該レコードを検索し、そのレコードに出庫日時として現時点のタイマ情報を記録する。記録された情報は、上記ステップＳ４及びＳ５の手順と同様にして、通信ネットワーク１００ａを介して管理サーバシステム２０へ通知され、記憶装置２２に記録される（ステップＳ１０、Ｓ１１）。
【００２２】
続いて、駐車場端末システム１０−１は、料金算出部４３が、記憶装置１５に記録されている入庫日時および出庫日時の差分からユーザの利用時間を算出し、算出した利用時間に基づき請求金額を算出し（ステップＳ１２）、その金額を表示制御部４８によりディスプレイ１３に表示する。
【００２３】
ディスプレイ１３を確認したユーザが料金精算を行うべく非接触ＩＣカードを非接触カードリーダ・ライタ１４にあてると、非接触カードリーダ・ライタ１４が該カードから決済情報を読み取る（ステップＳ１３）。決済情報取得部４４は、読み取られた決済情報の種別がプリペイド機能のものであるのか、あるいは電子マネー機能のものであるのかを判定する（ステップＳ１４）。その結果、プリペイド機能である場合、精算処理部４６が当該請求金額を精算情報として非接触カードリーダ・ライタ１４により非接触ＩＣカードに書き込む（ステップＳ１５）。
【００２４】
また、電子マネー機能である場合は、決済情報取得部４４は、カードから取得した決済情報から電子決済に必要な情報を情報通信部４５に渡し、これを情報通信部４５が管理サーバシステム２０に宛てて送信する（ステップＳ１６）。管理サーバシステム２０は、受信した決済情報に基づき決済処理部５２が決済サーバシステム３０との間で電子決済の手続きを行い（ステップＳ１７）、電子決済が完了すると、その旨を駐車場端末システム１０−１へ通知する（ステップＳ１８）。
【００２５】
駐車場端末システム１０−１は、管理サーバシステム２０からの通知を受けると、精算処理部４６が電子決済の記録を精算情報として非接触カードリーダ・ライタ１４により非接触ＩＣカードに書き込む（ステップＳ１５）。また、精算処理部４６は、プリペイド機能あるいは電子マネー機能による精算完了時、その情報を、図５に沿って説明したような態様で記憶装置１５へ記録すると共に、管理サーバシステム２０へ通知し、管理サーバシステム２０は、通知された情報を記憶装置２２へ記録する（ステップＳ１９、Ｓ２０）。
【００２６】
以上の処理を終えると、駐車場端末システム１０−１のゲート制御部４７がゲートシステム１２を駆動させてゲートを開く（ステップＳ２１）。これにより、駐車場からの出庫が可能となり、ユーザは車両を出庫させて駐車場の利用を終了する。
【００２７】
実施例の駐車場管理システム１００によれば、ユーザが車両に特別な車載機器を搭載することなく、円滑に駐車場を利用することができる。また、ゲートでのナンバープレート撮影により、入庫時における駐車チケットの受け取りが不要となり、出庫時は非接触ＩＣカードにより料金精算することから、車両の入出庫がスムーズに行われ、その結果、ゲート付近の渋滞を回避することができる。さらに、駐車場の管理者側は、精算機の現金回収や釣り銭補給等を行わなくてよいため、メンテナンス費用などコスト削減を図ることができ、管理サーバシステム２０に記録された各駐車場についての情報を定期的に出力することにより、マーケティング活動に役立てることができる。
【００２８】
なお、上記説明した実施例では、料金精算時における電子決済を管理サーバシステム２０にて行う手順を説明したが、これに代えて、電子決済を各駐車場端末システム１０−１〜１０−ｎにて行うようにしてもよい。その場合、管理サーバシステム２０の決済処理部５２を各駐車場端末システム１０−１〜１０−ｎに導入し、当該駐車場端末システムから通信ネットワーク１００ａを介して決済サーバシステム３０と電子決済を行う。
【図面の簡単な説明】
【００２９】
【図１】本発明による実施例の駐車場管理システムのブロック図である。
【図２】実施例の駐車場端末システムの構成を示すブロック図である。
【図３】実施例の管理サーバシステムの構成を示すブロック図である。
【図４】実施例の動作手順を示すシーケンス図である。
【図５】実施例の駐車場端末システムにおける記録の説明図である。
【符号の説明】
【００３０】
１００  駐車場管理システム
１０−１〜１０−ｎ  駐車場端末システム
２０  管理サーバシステム
３０  決済サーバシステム
１１  ＣＣＤカメラ
１２  ゲートシステム
１３  ディスプレイ
１４  非接触カードリーダ・ライタ
１５、２２  記憶装置
１６、２１  通信装置
１７、２３  制御装置
４１：車両番号取得部、４２：入出庫記録部、４３：料金算出部、４４：決済情報取得部、４５：情報通信部、４６：精算処理部、４７：ゲート制御部、４８：表示制御部
５１：駐車場情報記録部、５２：決済処理部
【図１】
2005346551.tif 000003
【図２】
2005346551.tif 000004
【図３】
2005346551.tif 000005
【図４】
2005346551.tif 000006
【図５】
2005346551.tif 000007